(57)【特許請求の範囲】
【請求項１】
バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つこの暖房用循環ポンプの停止後におけるバーナの燃焼の再開は、貯湯槽の通常時における燃焼再開温度よりも高い燃焼再開温度を設定することで早期に行わせることを特徴とする貯湯式給湯装置。
【請求項２】
バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つ前記バーナの燃焼の一旦停止は、バーナの燃焼出力号数を一旦増加させることで貯湯温度を速やかに燃焼停止温度に到達させて行わせることを特徴とする貯湯式給湯装置。
【請求項３】
バーナの燃焼出力号数の増加によっても貯湯温度が燃焼停止温度に到達しない場合には、暖房運転スイッチのオフから一定の短時間が経過した時点でバーナの燃焼を一旦停止させることを特徴とする請求項２に記載の貯湯式給湯装置。
【請求項４】
バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つ前記バーナの燃焼の一旦停止は、貯湯槽の貯湯目標温度を一旦増加させることにより貯湯温度を速やかに燃焼停止温度に到達させて行わせることを特徴とする貯湯式給湯装置。
【請求項５】
バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つ前記バーナの燃焼の一旦停止は、暖房運転スイッチをオフした際に給湯回路側の給湯流量が一定の基準流量以下の場合に行い、基準流量を超える場合はバーナの燃焼出力号数を一旦増加させることで貯湯温度を速やかに燃焼停止温度に到達させて行わせることを特徴とする貯湯式給湯装置。
【発明の詳細な説明】
【０００１】
【発明の属する技術分野】
本発明は貯湯式給湯装置に関し、詳しくは、いわゆるセミ貯湯式の貯湯槽を燃焼缶体内に設けて、温水給湯運転と温水暖房運転を少なくとも行うことができるようにされた貯湯式給湯装置に関する。
【０００２】
【従来の技術】
従来、半密閉タイプの暖房装置においては、燃焼停止時に暖房用循環ポンプを同時に止めた場合に、暖房圧力逃し弁から弁鳴りがする問題があったことから、燃焼停止からポスト循環を行い、一定時間後または貯湯温度が一定温度以下に下がってから循環ポンプを停止させるようにしていた。
一方、温水暖房機能を備えた給湯装置においては、暖房運転を停止したからといってバーナの燃焼を止めてしまうと、同時に給湯を行っている場合には出湯温度が低下してしまい、温水が使用できなくなってしまう等の悪影響が生じる問題があった。このため従来の暖房機能を備えた給湯装置においては、暖房運転スイッチがオフすると、給湯が行われているか否かに関係なく、１分間のポスト循環をしてから暖房の循環ポンプを停止するようにしていた。
【０００３】
【発明が解決しようとする課題】
ところが、上記従来の暖房機能を備えた給湯装置における制御方法では、暖房運転スイッチのオフの際に給湯運転がなされており、バーナが燃焼されている場合には、例えポスト循環を行った後に暖房用の循環ポンプを停止しても、暖房圧力逃がし弁からの弁鳴りを充分には抑制することができないという問題があった。
【０００４】
そこで本発明は上記従来の暖房機能を備えた給湯装置における欠点を解消し、給湯回路の他に暖房回路を設けたものにおいて、給湯と暖房の同時運転中から暖房運転を停止する場合においても、その停止の際に暖房圧力逃し弁からの弁鳴りを充分に抑制することができると共に、給湯運転側での給湯温度の低下やその他、使用者に対して違和感等を与えることのない貯湯式給湯装置の提供を課題とする。
【０００５】
【課題を解決するための手段】
上記課題を達成するため、本発明の貯湯式給湯装置は、バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つこの暖房用循環ポンプの停止後におけるバーナの燃焼の再開は、貯湯槽の通常時における燃焼再開温度よりも高い燃焼再開温度を設定することで早期に行わせることを第１の特徴としている。
また本発明の貯湯式給湯装置は、バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つ前記バーナの燃焼の一旦停止は、バーナの燃焼出力号数を一旦増加させることで貯湯温度を速やかに燃焼停止温度に到達させて行わせることを第２の特徴としている。
また本発明の貯湯式給湯装置は、上記第２の特徴に加えて、バーナの燃焼出力号数の増加によっても貯湯温度が燃焼停止温度に到達しない場合には、暖房運転スイッチのオフから一定の短時間が経過した時点でバーナの燃焼を一旦停止させることを第３の特徴としている。
また本発明の貯湯式給湯装置は、バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つ前記バーナの燃焼の一旦停止は、貯湯槽の貯湯目標温度を一旦増加させることにより貯湯温度を速やかに燃焼停止温度に到達させて行わせることを第４の特徴としている。
また本発明の貯湯式給湯装置は、バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させ、且つ前記バーナの燃焼の一旦停止は、暖房運転スイッチをオフした際に給湯回路側の給湯流量が一定の基準流量以下の場合に行い、基準流量を超える場合はバーナの燃焼出力号数を一旦増加させることで貯湯温度を速やかに燃焼停止温度に到達させて行わせることを第５の特徴としている。
【０００６】
上記第１の特徴によれば、給湯運転と暖房運転の同時運転中において、暖房運転スイッチをオフすると、バーナの燃焼が一旦停止され、その停止から一定の短時間後に暖房用循環ポンプが停止される。そしてその後にバーナの燃焼が再開される。
暖房運転スイッチがオフされた場合にバーナの燃焼が停止されることで、貯湯槽に対する加熱がその間停止され、よって貯湯槽内から暖房回路にかけての加圧状態が緩和される。そして更に燃焼停止後の少しの間は暖房用循環ポンプの駆動が続けられるので、その間に貯湯槽側からの圧力が拡散される。これにより暖房用循環ポンプが停止されても、暖房圧力逃し弁からの弁鳴りを充分に抑制することができる。またバーナの燃焼が停止される時間は長くならないので、貯湯槽の温水温度に与える影響を少なく抑えることができ、給湯温度の低下を抑制して、使用者に違和感を与えずに済ませることができる。
前記一定の短時間については、暖房圧力逃し弁の弁鳴りを抑制するのに効果的であり且つ給湯温度を低下させなくても済むことができる最短時間を、予め実験により得ておくことになる。
よって第１の特徴によれば、給湯運転と暖房運転とが同時に行われる場合に暖房運転を停止しても、暖房圧力逃し弁の弁鳴りを充分に抑制し、且つ給湯側への悪影響を充分に抑制することができる。
【０００７】
特に第１の特徴によれば、給湯運転と暖房運転が同時運転されている状態から暖房運転スイッチをオフした際における、バーナの燃焼の一旦停止後の再燃焼については、貯湯槽の通常時における燃焼再開温度よりも高い燃焼再開温度を設定することで、貯湯温度を速やかに燃焼再開温度に到達させることができ、よって一定の短時間が経過して暖房用循環ポンプが停止された後、早期に燃焼再開に至らしめることができる。
よって第１の特徴によれば、暖房圧力逃し弁の弁鳴りを抑制しつつ暖房用循環ポンプを停止した後には、現に充分に速やかにバーナの燃焼を再開させることができ、給湯運転側での悪影響を充分に回避することができる。
【０００８】
上記第２の特徴によれば、給湯運転と暖房運転とが同時運転されている状態から暖房運転スイッチがオフされると、その時点でバーナの燃焼出力号数が一旦増加される。これにより貯湯槽の温水が加熱されて燃焼停止温度まで速やかに上昇される結果、速やかにバーナの燃焼を停止に至らしめることができる。バーナの燃焼停止から一定の短時間後に暖房用循環ポンプが停止されることで、暖房圧力逃し弁の弁鳴りを抑制することができる。またバーナの燃焼が停止されても、貯湯温度は貯湯槽の燃焼停止温度まで高温にされているため、給湯運転側において給湯温度がアンダーシュートするのを防止することができる。
よって第２の特徴によれば、給湯運転側での給湯温度のアンダーシュートの発生を充分抑制しつつ、暖房圧力逃し弁の弁鳴りを抑制することができる。
【０００９】
上記第３の特徴によれば、上記第２の特徴による作用効果に加えて、給湯運転と暖房運転の同時運転から暖房運転スイッチがオフされた際に、バーナの燃焼出力号数を一旦増加させても貯湯温度が燃焼停止温度に達しない場合には、前記暖房運転スイッチのオフから一定の短時間が経過した時点で、バーナの燃焼が一旦停止される。従ってバーナの燃焼の停止から一定の短時間後に暖房用循環ポンプを停止させることで、暖房圧力逃し弁の弁鳴りを抑制することができる。一方、貯湯槽は増加されたバーナの燃焼出湯号数で加熱されていたことから、貯湯槽の温水は例え燃焼停止温度に至っていない場合でもそれなりの温度状態にあり、給湯運転側における給湯において温度低下等の悪影響を充分に抑制することができる。
尚、暖房運転スイッチのオフから一定の短時間については、予め実験によって、貯湯温度が貯湯目標温度から燃焼停止温度に至るのに通常必要な時間よりも少し長い時間を得て、これを一定の短時間にすることになる。
よって第３の特徴によれば、給湯運転側での給湯温度のアンダーシュートの発生を充分抑制しつつ、暖房圧力逃し弁の弁鳴りを抑制することができる。
【００１０】
上記第４の特徴によれば、給湯運転と暖房運転が同時運転されている状態から暖房運転スイッチがオフされると、その時点で貯湯槽の貯湯目標温度が一旦増加される。これによりバーナの燃焼出力号数が加算され、貯湯槽の温水が加熱されて燃焼停止温度まで速やかに上昇される結果、速やかにバーナの燃焼を停止に至らしめることができる。バーナの燃焼停止から一定の短時間後に暖房用循環ポンプが停止されることで、暖房圧力逃し弁の弁鳴りを抑制することができる。またバーナの燃焼が停止されても、貯湯温度は貯湯槽の燃焼停止温度まで高温にされているため、給湯運転側において給湯温度がアンダーシュートするのを防止することができる。
よって第４の特徴によれば、給湯運転側での給湯温度のアンダーシュートの発生を充分抑制しつつ、暖房圧力逃し弁の弁鳴りを抑制することができる。
【００１１】
上記第５の特徴によれば、給湯運転と暖房運転との同時運転中において、暖房運転スイッチがオフされた際において、給湯回路側の給湯流量が一定の基準流量以下の場合にはバーナの燃焼がそのまま一旦停止される。そしてその停止から一定の短時間後に暖房用循環ポンプが停止される。そしてその後、バーナの燃焼が再開される。一方、給湯流量が一定の基準流量を超える場合には、バーナの燃焼出力号数が一旦増加される。これによって貯湯温度が速やかに貯湯槽の燃焼停止温度に到達し、バーナの燃焼が一旦停止される。そしてバーナの燃焼の停止から一定の短時間後に暖房用循環ポンプが停止される。そしてその後、バーナの燃焼が再開される。
給湯流量が一定の基準流量以下の場合には、特に給湯が貯湯槽内での液液交換による間接加熱により行われる方式の場合には、貯湯槽の温度が例え少し低下しても出湯温度は低下しないので、設定温度通りの出湯温度を得ることができる。
給湯流量が一定の基準流量を超える場合には、燃焼出力号数を増加させて貯湯槽の温度を上げているので、バーナの燃焼を一旦停止しても、その間において出湯温度の低下が防止できる。
前記一定の基準流量については、予め実験によって貯湯槽の温度が多少低下しても設定温度通りの出湯温度を得ることができる流量を得て、これをコントローラに記憶させておく。
よって第５の特徴によれば、暖房圧力逃し弁の弁鳴りを抑制しつつ、給湯運転側での悪影響を充分に回避することができる。
【００１３】
【発明の実施の形態】
以下、本発明の実施の形態を図面を参照しながら説明する。
図１は本発明の実施形態に係る貯湯式給湯装置の概略構成図、図２は本発明の第１の実施形態を説明する暖房圧力逃し弁の弁鳴り防止のための制御のフロー図、図３は本発明の第２の実施形態を説明する暖房圧力逃し弁の弁鳴り防止のための制御のフロー図、図４は本発明の第３の実施形態を説明する暖房圧力逃し弁の弁鳴り防止のための制御のフロー図、図５は第４の実施形態を説明する暖房圧力逃し弁の弁鳴り防止のための制御のフロー図である。
【００１４】
図１を参照して、先ず貯湯式給湯装置の全体を説明する。
符号１０は燃焼缶体で、燃焼室１１の上部にいわゆるセミ貯湯槽といわれる貯湯槽１２を備え、また燃焼室１１に対しては、送風機１３ａや石油噴霧ノズル１３ｂを備えた石油バーナ１３が臨まされて設けられている。
前記貯湯槽１２は熱交換媒体槽としての機能を果たすもので、その貯湯槽１２の温水が給湯に供されるものではない。貯湯槽１２には複数本の排ガス通路１４が縦方向に貫通する形で設けられている。また前記貯湯槽１２には貯湯温度センサ１２ａが設けられている。
【００１５】
前記貯湯槽１２に対しては、給湯運転のための給湯回路２０が設けられている。給湯回路２０は、入水路２１と、給湯用熱交換部としての給湯用熱交換コイル２２と、出湯路２３と、前記入水路２１から出湯路２３へのバイパス路２４と、前記出湯路２３とバイパス路２４とからの湯水を混合する湯水混合手段２５と、該湯水混合手段２５から流出する温水を更に下流の給湯栓等の給湯端末２９に導く給湯路２６と、該給湯路２６から分岐された浴槽専用給湯路２７とを有する。前記給湯用熱交換コイル２２は貯水槽１２内に浸漬された形で、貯水槽１２内の外周近くの位置で多数回大きく巻回されて構成されている。
前記入水路２１には入水温度センサ２１ａと入水流量センサ２１ｂが設けられ、出湯路２３には出湯温度センサ２３ａが設けられ、給湯路２６には給湯温度センサ２６ａが設けられている。
また前記給湯路２６には総流量調節手段２８が設けられている。この総流量調節手段２８は、入水路２１からの通水の全量が熱交換加熱されてもその出湯温度が設定給湯温度に達することができないようなことがないように、該給湯路２６に流れる通水の総流量を規制するために設けられる流量制御弁である。
【００１６】
前記貯湯槽１２に対して、風呂追い焚き運転のための風呂追い焚き回路３０も設けられている。該風呂追い焚き回路３０は、風呂往路３１と、前記燃焼缶体１０の貯湯槽１２内に前記給湯用熱交換コイル２２の場合よりも内側の位置で多数回巻回された風呂加熱用熱交換コイル３２と、風呂復路３３とを有する。図示しない浴槽内の水は循環ポンプ３４により貯湯槽１２内に導かれ、加熱される。
前記風呂往路３１と風呂復路３３との間に三方弁３５を介してバイパス路３６が設けられ、該バイパス路３６に前記浴槽専用給湯路２７が、開閉弁２７ａ、流量センサ２７ｂ、逆止弁２７ｃを介して接続している。
また前記風呂復路３３には、風呂温度センサ３３ａと風呂水流スイッチ３３ｂが設けられている。
【００１７】
また前記貯湯槽１２に対して温水暖房運転のための暖房回路４０が構成されている。暖房回路４０は、貯湯槽１２の温水を直接使用して行うことができるように、貯湯槽１２に対して、暖房高温往路４１が貯湯槽１２の最上部に直接接続され、暖房復路４３が貯湯槽１２の下部に直接接続されている。暖房復路４３には循環ポンプ４４が設けられ、その下流の途中からは暖房低温往路４２が分岐して設けられている。貯湯槽１２の上部からバイパス弁４５を介してバイパス路４６が暖房復路４３に接続している。バイパス路４６が接続する暖房復路４３の途中には小さな貯水部４７が設けられ、該貯水部４７に前記燃焼缶体１０の貯水槽１２の水位を検出する水位検出センサ４７ａ、暖房圧力逃し弁４７ｂが設けられている。４８はリザーブタンクで、貯湯槽１２の水位が低下する等、水量が減った際に貯水部４７を介して水を補給する。
【００１８】
５０はコントローラで、給湯リモコン５１、風呂リモコン５２、暖房リモコン５３と通信接続されており、装置各部の制御を行う。
【００１９】
以上の構成に基づいて給湯動作を説明する。今、給湯リモコン５１等により給湯装置のメインスイッチがオンされた状態では、実際の給湯運転による給湯が行われているか否かにかかわらず、石油バーナ１３が必要に応じて燃焼され、燃焼缶体１０の貯湯槽１２内の水が加熱される。そして給湯端末２９が開かれ、実際の給湯が開始されると、入水路２１からの水は、給湯用熱交換コイル２２を通過することで貯湯槽１２内の温水によって加熱され、出湯路２３に出湯し、更に湯水混合手段２５を通って給湯路２６に流れて給湯端末２９から流出する。
また暖房リモコン５３によって暖房運転が指令されると、循環ポンプ４４が駆動され、必要に応じて石油バーナ１３が燃焼されて、貯湯槽１２内の温水が暖房回路４０を循環して暖房が行われる。
同様に風呂リモコン５２によって風呂追い焚き運転が指令されると、循環ポンプ３４が駆動され、必要に応じて石油バーナ１３が燃焼され、浴槽水が風呂追い焚き回路３０を循環して加熱される。
【００２０】
図２を参照して、本発明の第１の実施形態を説明する暖房圧力逃し弁４７ｂの弁鳴り防止のための制御について説明する。
今、暖房運転が行われている状態から暖房リモコン５３等により暖房運転スイッチがオフされる（ステップＳ１でイエス）と、コントローラ５０は、給湯回路２０の入水路２１の入水流量センサ２１ｂが最低作動水量（ＭＯＱ）以上を検出しているか否か、即ち給湯運転が行われているか否か（ステップＳ２）を判断し、イエスであれば、バーナ１３を一旦停止する（ステップＳ３）。そして一定の短時間として１０秒が経過する（ステップＳ４でイエス）ことを条件に、暖房用の循環ポンプ４４を停止する（ステップＳ５）。これにより暖房圧力逃し弁４７ｂの弁鳴りが生じることなく暖房運転は終了する。
【００２１】
コントローラ５０は前記循環ポンプ４４を停止させた後、貯湯槽１２の燃焼再開温度を通常時における燃焼再開温度、例えば７８℃よりも高い燃焼再開温度、例えば８４℃に設定変更し、貯湯温度センサ１２ａで検出される貯湯温度を監視する。そして貯湯温度が前記高温側に設定変更された燃焼再開温度、８４℃以下になると（ステップＳ６でイエス）、バーナ１３の燃焼を再開する（ステップＳ７）。このようにすることで、給湯温度が低下することなく給湯運転を継続することができる。
バーナ１３の燃焼再開後は、貯湯槽１２の温度維持制御を通常制御に戻す（ステップＳ８）。
一方、ステップＳ２でノーの場合、即ち暖房運転スイッチがオフされた際に給湯運転がなされていない場合には、ステップＳ９に進んで、バーナ１３の燃焼が停止され、更に暖房運転スイッチオフから一定のポスト循環時間、例えば６０秒後に循環ポンプ４４を停止させる（ステップＳ１０）。これにより暖房圧力逃し弁４７ｂの弁鳴りが生じることなく暖房運転を終了させることができる。
【００２２】
前記ステップＳ８において貯湯槽１２の通常制御は、貯湯温度が貯湯目標温度、例えば８１℃になるようにバーナ１３の燃焼出力号数を制御すると共に、貯湯温度が燃焼停止温度、例えば８５℃まで上昇すれば燃焼を停止し、貯湯温度が燃焼再開温度、例えば７８℃になれば燃焼を再開するようにして、貯湯槽１２の温度を安定した温度に保持する制御である。前記通常制御での貯湯目標温度或いは温度領域、燃焼停止温度、及び燃焼再開温度については、予め実験等により好ましい温度を得てコントローラ５０に記憶させておく。
【００２３】
図３を参照して、本発明の第２の実施形態を説明する暖房圧力逃し弁４７ｂの弁鳴り防止のための制御について説明する。
今、暖房運転が行われている状態から暖房リモコン５３等により暖房運転スイッチがオフされる（ステップＳ２１でイエス）と、コントローラ５０は、給湯回路２０の入水流量センサ２１ｂが最低作動水量（ＭＯＱ）以上を検出しているか否か、即ち給湯運転が行われているか否か（ステップＳ２２）を判断し、イエスであれば、バーナ１３の燃焼出力号数をそのときの号数から一定号数、例えば５号増加させて燃焼を行わせる（ステップＳ２３）。これによって貯湯槽１２の貯湯温度が速やかに上昇し、貯湯温度が燃焼停止温度、例えば８５℃以上に達すると（ステップＳ２４でイエス）、コントローラ５０はバーナ１３の燃焼を停止する（ステップＳ２５）。
そして前記バーナ１３の燃焼の停止から一定の短時間として１０秒が経過する（ステップＳ２６でイエス）ことを条件に、暖房用の循環ポンプ４４を停止する（ステップＳ２７）。その後は貯湯槽１２を上記図２のステップＳ８の場合と同様に通常制御する（ステップＳ２８）。
これにより暖房圧力逃し弁４７ｂの弁鳴りが生じることなく暖房運転を終了させることができる。また継続される給湯運転にも温度低下等の支障が生じない。
【００２４】
一方、前記ステップＳ２４において、貯湯温度が暖房運転スイッチオフから一定の短時間、例えば１分経過しても貯湯槽１２の燃焼停止温度、８５℃に到達しない場合（ステップＳ２９でイエス）には、その１分が経過した時点でバーナ１３の燃焼を停止する（ステップＳ２５）。そしてその後は既述のステップ２６〜Ｓ２８に進む。
これによって暖房圧力逃し弁４７ｂの弁鳴りが生じることなく暖房運転を終了させることができる。また継続される給湯運転にも温度低下等の支障が生じない。
上記ステップＳ２２でノーの場合は、上記第１の実施形態におけるフローのステップＳ９とＳ１０と同様に、ステップＳ３０とＳ３１に進む。
【００２５】
前記ステップＳ２９において、一定の短時間として１分間もバーナ１３の燃焼号数を増加させた状態で燃焼を行えば、貯湯槽１２の温度が、例え燃焼停止温度には到達しない場合でも、給湯運転側の給湯に支障のない温度まで充分に上昇されていると考えられる。よって燃焼を停止しても給湯側において温度低下等の悪影響は出ないのである。
前記ステップＳ２３において増加させる一定号数は５号に限定されるものではなく、予め実験等により貯湯温度を速やかに上昇させるのに適当な増加号数を得ておくことができる。また前記ステップＳ２９における一定の短時間は１分に限定されるものではなく、前記増加号数との関係等において、予め実験等により適当な一定の短時間を決めておくことができる。
【００２６】
図４を参照して、本発明の第３の実施形態を説明する暖房圧力逃し弁４７ｂの弁鳴り防止のための制御について説明する。
今、暖房運転が行われている状態から暖房リモコン５３等により暖房運転スイッチがオフされる（ステップＳ４１でイエス）と、コントローラ５０は、給湯回路２０の入水流量センサ２１ｂが最低作動水量（ＭＯＱ）以上を検出しているか否か、即ち給湯運転が行われているか否か（ステップＳ４２）を判断し、イエスであれば、貯湯槽１２の貯湯目標温度を通常時の貯湯目標温度、例えば８１℃から一旦、特別の貯湯目標号数、例えば９０℃に増加させる（ステップＳ４３）。これによってバーナ１３の燃焼出力号数が対応して増加され、結果として貯湯槽１２の貯湯温度が速やかに上昇し、貯湯温度が燃焼停止温度、例えば８５℃以上に達すると（ステップＳ４４でイエス）、コントローラ５０はバーナ１３の燃焼を停止する（ステップＳ４５）。
そして前記バーナ１３の燃焼の停止から一定の短時間として１０秒が経過する（ステップＳ４６でイエス）ことを条件に、暖房用の循環ポンプ４４を停止する（ステップＳ４７）。その後は貯湯槽１２を上記図２のステップＳ８の場合と同様に通常制御する（ステップＳ４８）。
これにより暖房圧力逃し弁４７ｂの弁鳴りが生じることなく暖房運転を終了させることができる。また継続される給湯運転にも温度低下等の支障が生じない。上記ステップＳ４２でノーの場合は、上記第１の実施形態におけるフローのステップＳ９とＳ１０と同様に、ステップＳ４９とＳ５０に進む。
【００２７】
前記ステップＳ４３において、増加させる特別の貯湯目標温度は９０℃に限定されるものではなく、予め実験等により通常時における貯湯目標温度との関係で貯湯温度を速やかに上昇させるのに適当な温度を定めることになる。
【００２８】
図５を参照して、本発明の第４の実施形態を説明する暖房圧力逃し弁４７ｂの弁鳴り防止のための制御について説明する。
今、暖房運転が行われている状態から暖房リモコン５３等により暖房運転スイッチがオフされる（ステップＳ６１でイエス）と、コントローラ５０は、給湯回路２０の入水流量センサ２１ｂが最低作動水量（ＭＯＱ）以上を検出しているか否か、即ち給湯運転が行われているか否か（ステップＳ６２）を判断し、イエスであれば、給湯回路２０側の給湯流量が一定の基準流量、例えば８リットル／分以下であるか否かを判定し（ステップＳ６３）、イエスであれば、コントローラ５０はバーナ１３の燃焼を停止する（ステップＳ６４）。
そして前記バーナ１３の燃焼停止から一定の短時間として１０秒が経過する（ステップＳ６５でイエス）ことを条件に、暖房用の循環ポンプ４４を停止する（ステップＳ６６）。その後は貯湯槽１２を上記図２のステップＳ８の場合と同様に通常制御する（ステップＳ６７）。
給湯流量が一定の基準流量以下の場合には、特に図１に示すような給湯用熱交換コイル２２が貯湯槽１２内で液液交換によって間接加熱される方式の場合には、バーナ１３の燃焼が多少の時間停止することによって貯湯槽１２の温度が多少低下しても、出湯温度は低下しないので、設定温度通りの出湯温度を得ることができるのである。
これにより暖房圧力逃し弁４７ｂの弁鳴りが生じることなく暖房運転を終了させることができる。また継続される給湯運転にも温度低下等の支障が生じない。
前記一定の基準流量については、予め実験によって貯湯槽１２の温度が多少低下しても設定温度通りの出湯温度を得ることができる流量を得て、これをコントローラ５０に記憶させておくことになる。
【００２９】
一方、前記ステップＳ６３において、給湯流量が一定の基準流量を超える場合には、バーナ１３の燃焼出力号数をそのときの号数から一定号数、例えば５号増加させて燃焼を行わせる（ステップＳ６８）。これによって貯湯槽１２の貯湯温度が速やかに上昇し、貯湯温度が燃焼停止温度、例えば８５℃以上に達すると（ステップＳ６９でイエス）、コントローラ５０はバーナ１３の燃焼を停止する（ステップＳ７０）。
そして前記バーナ１３の燃焼停止から一定の短時間として１０秒が経過する（ステップＳ６５でイエス）ことを条件に、暖房用の循環ポンプ４４を停止する（ステップＳ６６）。その後は貯湯槽１２を上記図２のステップＳ８の場合と同様に通常制御する（ステップＳ６７）。
これにより暖房圧力逃し弁４７ｂの弁鳴りが生じることなく暖房運転を終了させることができる。また継続される給湯運転にも温度低下等の支障が生じない。
上記ステップＳ６２でノーの場合は、上記第１の実施形態におけるフローのステップＳ９とＳ１０と同様に、ステップＳ７１とＳ７２に進む。
【００３０】
【発明の効果】
本発明は以上の構成、作用からなり、請求項１に記載の貯湯式給湯装置によれば、バーナによって加熱される貯湯槽を備えると共に、給湯回路の他に暖房回路を設けた貯湯式給湯装置であって、暖房運転スイッチをオフさせた際に給湯運転を行っている場合には、バーナの燃焼を一旦停止させると共に、停止から一定の短時間後に暖房用循環ポンプを停止させ、その後バーナの燃焼を再開させるようにしたので、
給湯運転と暖房運転とが同時に行われる場合に暖房運転を停止しても、暖房圧力逃し弁の弁鳴りを充分に抑制し、且つ給湯側への悪影響を充分に抑制することができる。
また更に、暖房用循環ポンプの停止後におけるバーナの燃焼の再開は、貯湯槽の通常時における燃焼再開温度よりも高い燃焼再開温度を設定することで早期に行わせるようにしたので、
暖房圧力逃し弁の弁鳴りを抑制しつつ暖房用循環ポンプを停止した後には、現に充分に速やかにバーナの燃焼を再開させることができ、給湯運転側での悪影響を充分に回避することができる。
また請求項２に記載の貯湯式給湯装置によれば、バーナの燃焼の一旦停止は、バーナの燃焼出力号数を一旦増加させることで貯湯温度を速やかに燃焼停止温度に到達させて行わせるようにしたので、
給湯運転側での給湯温度のアンダーシュートの発生を充分抑制しつつ、暖房圧力逃し弁の弁鳴りを抑制することができる。
また請求項３に記載の貯湯式給湯装置によれば、上記請求項２に記載の構成による効果に加えて、バーナの燃焼出力号数の増加によっても貯湯温度が燃焼停止温度に到達しない場合には、暖房運転スイッチのオフから一定の短時間が経過した時点でバーナの燃焼を一旦停止させるようにしたので、
給湯運転側での給湯温度のアンダーシュートの発生を充分抑制しつつ、暖房圧力逃し弁の弁鳴りを抑制することができる。
また請求項４に記載の貯湯式給湯装置によれば、バーナの燃焼の一旦停止は、貯湯槽の貯湯目標温度を一旦増加させることにより貯湯温度を速やかに燃焼停止温度に到達させて行わせるようにしたので、
給湯運転側での給湯温度のアンダーシュートの発生を充分抑制しつつ、暖房圧力逃し弁の弁鳴りを抑制することができる。
また請求項５に記載の貯湯式給湯装置によれば、バーナの燃焼の一旦停止は、暖房運転スイッチをオフした際に給湯回路側の給湯流量が一定の基準流量以下の場合に行い、基準流量を超える場合はバーナの燃焼出力号数を一旦増加させることで貯湯温度を速やかに燃焼停止温度に到達させて行わせるようにしたので、
暖房圧力逃し弁の弁鳴りを抑制しつつ、給湯運転側での悪影響を充分に回避することができる。
【図面の簡単な説明】
【図１】本発明の実施形態に係る貯湯式給湯装置の概略構成図である。
【図２】本発明の第１の実施形態を説明する暖房圧力逃し弁の弁鳴り防止のための制御のフロー図である。
【図３】本発明の第２の実施形態を説明する暖房圧力逃し弁の弁鳴り防止のための制御のフロー図である。
【図４】本発明の第３の実施形態を説明する暖房圧力逃し弁の弁鳴り防止のための制御のフロー図である。
【図５】第４の実施形態を説明する暖房圧力逃し弁の弁鳴り防止のための制御のフロー図である。
【符号の説明】
１０  燃焼缶体
１１  燃焼室
１２  貯湯槽
１２ａ  貯湯温度センサ
１３  石油バーナ
２０  給湯回路
２１  入水路
２１ａ  入水温度センサ
２１ｂ  入水流量センサ
２２  給湯用熱交換コイル
２３  出湯路
２３ａ  出湯温度センサ
２４  バイパス路
２５  湯水混合手段
２６  給湯路
２６ａ  給湯温度センサ
２８  総流量調節手段
２９  給湯端末
３０  風呂追い焚き回路
４０  暖房回路
４４  循環ポンプ
４７ｂ  暖房圧力逃し弁
５０  コントローラ
５１  給湯リモコン
５３  暖房リモコン
【図１】
0003726620.tif 000002
【図２】
0003726620.tif 000003
【図３】
0003726620.tif 000004
【図４】
0003726620.tif 000005
【図５】
0003726620.tif 000006